【手続補正書】
【提出日】平成16年12月24日(2004.12.24)
【手続補正１】
【補正対象書類名】明細書
【補正対象項目名】特許請求の範囲
【補正方法】変更
【補正の内容】
【特許請求の範囲】
【請求項１】
液滴を噴出する噴霧ノズルと、該液滴の拡散範囲の外側に近接するように配設され、該液滴を高電圧により誘導帯電させるための電極と、該電極を前記噴霧ノズルに結合するための、絶縁性材料からなる電極ホルダとを備えた静電噴霧装置であって、
該電極ホルダは、前記噴霧ノズルと前記電極との間に落下する前記液滴を外へ逃がすための開口又は切欠を有する静電噴霧装置。
【請求項２】
前記噴霧ノズル、前記電極、及び前記電極ホルダが一体的に結合されたノズルユニットを備えた請求項１記載の静電噴霧装置。
【請求項３】
前記ノズルユニットと、該ノズルユニットを操作するためのグリップ部とを備えた請求項２記載の静電噴霧装置。
【請求項４】
前記ノズルユニットと、前記グリップ部とがコネクタを介して着脱可能に接続された請求項３記載の静電噴霧装置。
【請求項５】
前記コネクタは、前記噴霧ノズルに液体を送る液体通路と、前記電極に高電圧を送る送電路とを同時に分離・結合するように構成された請求項４記載の静電噴霧装置。
【請求項６】
前記ノズルユニットは、２以上の噴霧ノズルと、該２以上の噴霧ノズルに対応する電極とを備えた請求項２〜５のいずれか一項に記載の静電噴霧装置。
【請求項７】
前記ノズルユニットは、該ノズルユニットを前記グリップ部に対して間隔をおいて支持するための支持体の長さ方向に対して、前記噴霧ノズルの噴霧中心方向が最大９０°の角度を有するように構成された請求項３又は４記載の静電噴霧装置。
【請求項８】
前記グリップ部は、前記電極に高電圧を加えるための高電圧発生装置と、該高電圧発生装置を制御するための制御スイッチと、該高電圧発生装置を駆動するための蓄電池とを少なくとも内蔵した請求項３、４、又は７のいずれか一項に記載の静電噴霧装置。
【請求項９】
噴霧中心方向から所定範囲以上に液滴が飛散することを防止するように噴霧の周囲を囲う飛散防止カバーを前記電極の前側に備えた請求項１〜８のいずれか一項に記載の静電噴霧装置。
【請求項１０】
前記飛散防止カバーは、前記電極ホルダに着脱可能に構成された請求項９記載の静電噴霧装置。
【請求項１１】
前記飛散防止カバーは、その内側に付着した液滴を外へ逃がすための開口又は切欠を前記電極側に有する請求項９又は１０記載の静電噴霧装置。
【請求項１２】
前記飛散防止カバーは、絶縁性材料からなる請求項９〜１１のいずれか一項に記載の静電噴霧装置。
【請求項１３】
前記噴霧ノズル及び前記電極を遠隔支持するための支持体に対して該噴霧ノズル及び該電極を回動可能に支持する回動部を備えるとともに、
該回動部の回動角度を前記支持体の遠隔支持側で操作するための遠隔操作部を備えた請求項１〜１２のいずれか一項に記載の静電噴霧装置。
【手続補正２】
【補正対象書類名】明細書
【補正対象項目名】０００８
【補正方法】変更
【補正の内容】
【０００８】
【課題を解決するための手段】
上記目的を達成するために、第１の発明の静電噴霧装置は、
液滴を噴出する噴霧ノズルと、該液滴の拡散範囲の外側に近接するように配設され、該液滴を高電圧により誘導帯電させるための電極と、該電極を前記噴霧ノズルに結合するための、絶縁性材料からなる電極ホルダとを備えた静電噴霧装置であって、
該電極ホルダは、前記噴霧ノズルと前記電極との間に落下する前記液滴を外へ逃がすための開口又は切欠を有している。
【手続補正３】
【補正対象書類名】明細書
【補正対象項目名】００１０
【補正方法】変更
【補正の内容】
【００１０】
第２の発明の静電噴霧装置としては、前記第１の発明において、前記噴霧ノズル、前記電極、及び前記電極ホルダが一体的に結合されたノズルユニットを備えた態様を例示する。
第３の発明の静電噴霧装置としては、前記第２の発明において、前記ノズルユニットと、該ノズルユニットを操作するためのグリップ部とを備えた態様を例示する。
第４の発明の静電噴霧装置としては、前記第３の発明において、前記ノズルユニットと、前記グリップ部とがコネクタを介して着脱可能に接続された態様を例示する。
【手続補正４】
【補正対象書類名】明細書
【補正対象項目名】００１２
【補正方法】変更
【補正の内容】
【００１２】
第５の発明の静電噴霧装置としては、前記第４の発明において、
前記コネクタは、前記噴霧ノズルに液体を送る液体通路と、前記電極に高電圧を送る送電路とを同時に分離・結合するように構成された態様を例示する。
【手続補正５】
【補正対象書類名】明細書
【補正対象項目名】００１４
【補正方法】変更
【補正の内容】
【００１４】
第６の発明の静電噴霧装置としては、前記第２〜５のいずれかの発明において、
前記ノズルユニットは、２以上の噴霧ノズルと、該２以上の噴霧ノズルに対応する電極とを備えた態様を例示する。
【手続補正６】
【補正対象書類名】明細書
【補正対象項目名】００１６
【補正方法】変更
【補正の内容】
【００１６】
第７の発明の静電噴霧装置としては、前記第３又は４の発明において、
前記ノズルユニットは、該ノズルユニットを前記グリップ部に対して間隔をおいて支持するための支持体の長さ方向に対して、前記噴霧ノズルの噴霧中心方向が最大９０°の角度を有するように構成された態様を例示する。
【手続補正７】
【補正対象書類名】明細書
【補正対象項目名】００１８
【補正方法】変更
【補正の内容】
【００１８】
第８の発明の静電噴霧装置としては、前記第３、４、又は７のいずれかの発明において、
前記グリップ部は、前記電極に高電圧を加えるための高電圧発生装置と、該高電圧発生装置を制御するための制御スイッチと、該高電圧発生装置を駆動するための蓄電池とを少なくとも内蔵した態様を例示する。
【手続補正８】
【補正対象書類名】明細書
【補正対象項目名】００２１
【補正方法】変更
【補正の内容】
【００２１】
第９の発明の静電噴霧装置としては、前記第１〜８のいずれかの発明において、
噴霧中心方向から所定範囲以上に液滴が飛散することを防止するように噴霧の周囲を囲う飛散防止カバーを前記電極の前側に備えた態様を例示する。この飛散防止カバーの形状としては、特に限定されないが、噴霧中心と同心の円筒状又は円錐状に形成することを例示する。
【手続補正９】
【補正対象書類名】明細書
【補正対象項目名】００２３
【補正方法】変更
【補正の内容】
【００２３】
第１０の発明の静電噴霧装置としては、前記第９の発明において、
前記飛散防止カバーは、前記電極ホルダに着脱可能に構成された態様を例示する。
【手続補正１０】
【補正対象書類名】明細書
【補正対象項目名】００２５
【補正方法】変更
【補正の内容】
【００２５】
第１１の発明の静電噴霧装置としては、前記第９又は１０の発明において、
前記飛散防止カバーは、その内側に付着した前記液滴を外へ逃がすための開口又は切欠を前記電極側に有する態様を例示する。
【手続補正１１】
【補正対象書類名】明細書
【補正対象項目名】００２７
【補正方法】変更
【補正の内容】
【００２７】
第１２の発明の静電噴霧装置としては、前記第９〜１１のいずれかの発明において、
前記飛散防止カバーは、絶縁性材料からなる態様を例示する。
【手続補正１２】
【補正対象書類名】明細書
【補正対象項目名】００２８
【補正方法】変更
【補正の内容】
【００２８】
第１３の発明の静電噴霧装置としては、前記第１〜１２のいずれかの発明において、
前記噴霧ノズル及び前記電極を遠隔支持するための支持体に対して該噴霧ノズル及び該電極を回動可能に支持する回動部を備えるとともに、
該回動部の回動角度を前記支持体の遠隔支持側で操作するための遠隔操作部を備えた態様を例示する。